【事件の表示】
　特願２０１６−　５４３５０「細胞培養装置および細胞培養方法」拒絶査定不服審判事件〔平成２８年　８月１２日出願公開、特開２０１６−１４４４６４〕について、次のとおり審決する。
【結　論】
　本件審判の請求は、成り立たない。
【理　由】
第１　手続の経緯
　本願は、平成２３年５月１１日に国際出願した特願２０１３−５０９５６１号（パリ条約による優先権主張　外国庁受理２０１０年５月１１日、英国）の一部を平成２８年３月１７日に新たな特許出願としたものであって、その後の手続の概要は、以下のとおりである。
平成２９年２月１４日付け：拒絶理由通知
平成２９年５月１５日：意見書、手続補正書の提出 
平成２９年８月２２日付け：拒絶査定 
平成３０年１月５日：審判請求書、手続補正書の提出
第２　本願発明  
　本願の請求項１〜１０に係る発明は、平成３０年１月５日提出の手続補正書により補正された特許請求の範囲１〜１０に記載された事項によって特定され、そのうち請求項３に係る発明は、以下のとおりである。 
  
 「【請求項３】
　Ｎ個の担体（７）の積層体からなる細胞（Ｃ）を培養するバイオリアクター（１）であって、担体Ｎ−１が細胞付着を阻止する少なくとも一つの領域を有し、この担体Ｎ−１の前記領域を介して前記担体Ｎ−１から担体Ｎ上の細胞成長領域を観察できることを特徴とするバイオリアクター（１）。」（以下「本願発明」という。） 
  
 第３　原査定の拒絶の理由 
　原査定の拒絶の理由は、この出願の請求項１〜３、７〜１２に係る発明は、本願の原出願の優先権主張の日前に日本国内又は外国において頒布された下記の引用文献１に記載された発明であるから、特許法２９条１項３号に該当し、特許を受けることができない、という理由を含むものである。
  
 引用文献１.国際公開第８８／００２３５号
  
 第４　引用文献の記載及び引用発明 
１　引用文献１の記載 
 　引用文献１には、以下の事項が記載されている。  
 （以下、原文が英文のため、当審による翻訳文で示す。） 
  
 （１）「細胞培養装置の好適な実施形態は、図1に示されており、基部(15)と、壁(16, 17)と、基部(15)と一体構造に統合されたマイクロ構成の実施形態(20)を含む。…（中略）…
　マイクロ構成の実施形態(20)は、図1および図2に示されている装置において、各々の面(22)に存在する複数の細孔を有し、ロッド(21)によって間隔を保つ、多平面多区画実施形態(20)として設計されている。本実施形態の中央の空間(23)はマイクロ構造を有さず、装置の基部(1)上で増殖する細胞の頂部壁(18)からの視覚的な顕微鏡および顕微鏡検査を可能にしている。多平面実施形態(20)は、上記実施形態の表面が中心に向かってバルコニーを各レベルで生成するように、異なる長さ(24, 25, 26)で終結するよう設計され、それにより露出したバルコニー(24, 25, 26)の各々の上で成長する細胞の頂部壁(18)からの顕微鏡検査を可能にする。」 （第１６ページ下から７行目〜第１７ページ１３行目）
  　
 （２）「
」（図１、２） 
    
 ２　引用発明 
　上記１（２）の図１より、平面が９層積層された構造が認められる。
　してみると、引用文献１には以下の発明が記載されているといえる。 
「中央の空間(23)を有する９層からなる多平面を有し、各平面の表面が中心に向かってバルコニーを各レベルで生成するように、異なる長さ(24, 25, 26)で終結するよう設計され、それにより露出したバルコニー(24, 25, 26)の各々の上で成長する細胞の頂部壁(18)からの顕微鏡検査を可能にした、細胞培養装置。」（以下、引用発明という。） 
  
 第５　対比 ・判断 
１　対比 
　本願発明と引用発明を対比する。 
　本願発明の「Ｎ個の担体（７）の積層体からなる細胞（Ｃ）を培養するバイオリアクター（１）」は、引用発明の「９層からなる多平面を有し、…細胞培養装置」に相当する。
　また、引用発明の「各平面の表面が中心に向かってバルコニーを各レベルで生成するように、異なる長さ(24, 25, 26)で終結するよう設計され、露出したバルコニー(24, 25, 26)の各々の上で成長する細胞の頂部壁(18)からの顕微鏡検査を可能にした」ものとは、本願発明の担体Ｎ−１に相当する８層目の平面から、その中央の空間(23)を介して本願発明の担体Ｎに相当する９層目の平面のバルコニー上の細胞の顕微鏡検査を可能にしたものといえる。すなわち、本願発明の「前記担体Ｎ−１から担体Ｎ上の細胞成長領域を観察できる」は、引用発明の「各平面の表面が中心に向かってバルコニーを各レベルで生成するように、異なる長さ(24, 25, 26)で終結するよう設計され、露出したバルコニー(24, 25, 26)の各々の上で成長する細胞の頂部壁(18)からの顕微鏡検査を可能にした」に相当する。
 
　そうすると、本願発明と引用発明は、 
 「Ｎ個の担体（７）の積層体からなる細胞（Ｃ）を培養するバイオリアクター（１）であって、担体Ｎ−１から担体Ｎ上の細胞成長領域を観察できることを特徴とするバイオリアクター（１）。」 
である点で一致し、以下の点で一応相違する。
（相違点）本願発明が、担体Ｎ−１が有する「細胞付着を阻止する少なくとも一つの領域」を介して担体Ｎ上の細胞成長領域を観察できるものであるのに対して、引用発明は、「中央の空間」を介するものである点。
２　判断
　上記相違点について検討する。
　本願明細書には、以下の記載がなされている。（下線は当審で付記した。）
（１）「【００８３】
  本発明のさらに別な態様は、バイオリアクター内で細胞を培養する担体に関する。この担体の表面は、細胞が付着する領域と
細胞付着を阻止する領域を有する
【００８４】
  細胞を培養するバイオリアクターは、第１担体および第２担体を有することができ、それぞれは流体培地を導入する少なくとも一つの入り口を有する。第１担体は細胞が付着する第１部分を有し、そして第２担体は
細胞の付着を阻止する第２部分
第２担体の第２部分から
第１担体の第１部分を見ることができる
【００８５】
  第１部分および
第２部分は
開口を形成してもよい
（２）「図２６に、担体７ａ〜７ｎが整合した開口を備えているため、所定の担体上の細胞を観察できる一つの実施態様を示す。具体的には、バイオリアクター１の入り口２１および出口２２が、複数の担体を積層状態で有するハウジング内に位置する。
第１担体７ａについては、少なくとも一つの開放スペース２を設け、（少なくとも一部が透明な）ハウジングの第１側１２を介して次の隣接担体７ｂ上の成長領域Ａｃｇを直接観察できるように配列する
（３）
「
」（図２６　矢印Ａは当審で参考のために追記した。）
　上記（１）に、第２担体の第２部分から第１担体の第１部分を見ることができる旨、及び、第２担体の細胞の付着を阻止する第２部分は開口を形成してもよい旨記載されていることから、本願発明における「細胞の付着を阻止する…」とは、疎水性化等の、担体の細胞付着性を喪失させる処理がなされたもののみならず、開口を形成することで細胞の付着対象部位を欠損させたものも含むものと認められる。
　また、上記（３）の図２６において担体７ｂを担体Ｎ、担体７ａを担体Ｎ−１に対応させると、これはハウジングの第１側１２から担体Ｎ−１の領域２を介して担体Ｎ上の成長領域Ａｃｇを直接観察できるようにしたものであり（矢印Ａが観察線を示す）、当該図２６は本願発明の実施態様に該当すると認められる。ここで、「細胞付着を阻止する少なくとも一つの領域」に相当する部分が開放スペースとなっていることからも、本願発明の当該領域が開口を含むものであることが理解できる。
　そうすると、引用発明の「中央の空間」は、本願発明の「細胞付着を阻止する少なくとも一つの領域」に相当するから、上記相違点は実際には相違点とはならない。
　したがって、本願発明と引用発明との間に相違点はなく、両者は同一の発明である。 
 　 
３　請求人の主張について  
　請求人は、平成３０年１月５日提出の審判請求書の（３．２．３．４）において、「前述第（３．２．１．４）項の陳述と同様に、請求項３の構成要件（オ３）は、担体の存在しない引用文献１と異なり、（オ３）「担体Ｎ−１が・・・領域を有し・・・」として担体Ｎ−１の存在を特定しています。　したがって、引用文献１と請求項３に係る発明は構造が異なります。」と主張し、また、審判請求書の上記（３．２．１．４）においては、「本願は空間を設けるものではなく「担体が・・・部分を有する」ものです。」と主張している。
　しかしながら、本願発明の「細胞付着を阻止する少なくとも一つの領域」が開口を含むものと認められることは上記のとおりであり、上記主張は明細書の記載に基づかない主張であるから、採用することはできない。 
  
第６　むすび 
　以上のとおり、本願発明は、引用文献１に記載された発明であるから、特許法２９条１項３号に該当し、特許を受けることができない。 
　したがって、他の請求項に係る発明について検討するまでもなく、本願は拒絶すべきものである。 
  
 　よって、結論のとおり審決する。